(57)【要約】      （修正有）【課題】通気性が良く陰嚢の温度を下げる男性用下着を提供する。【解決手段】胴部が挿通される胴部開口部１１、脚部が挿通される左右の脚部開口部１２Ｌ、１２Ｒ、及び陰嚢と陰茎が挿通されて股下開口部１３が開口した本体部を備え、股下開口部には、下端部に開口を備えると共に陰嚢の自由下垂を生地が妨げず、陰嚢を空気中に露出させて放熱が可能な前覆部２３を備え、本体部及び前覆部を構成する生地が大腿部と陰嚢との間に挟まる形状とした。【選択図】図７
0003229045.tif 000002
【実用新案登録請求の範囲】
【請求項１】
胴部が挿通される胴部開口部、脚部が挿通される左右の脚部開口部、及び陰嚢と陰茎が挿通される股下開口部を形成した下着本体部を備え、
前記股下開口部には、下端部に開口を備えると共に陰嚢の自由下垂を生地が妨げず、陰嚢を空気中に露出させて放熱が可能な前覆部を備え、
前記下着本体部及び前記前覆部を構成する生地が大腿部と陰嚢との間に挟まる形状としたことを特徴とする男性用下着。
【請求項２】
前記生地は、吸収した水分を気化して冷却する気化熱冷却素材で形成されていることを特徴とする請求項１に記載の男性用下着。
【請求項３】
前記生地は、接触したとき冷感を生じる接触冷感素材で形成されていることを特徴とする請求項１に記載の男性用下着。
【請求項４】
後身頃と、右前身頃と、左前身頃と、前記前覆部が縫製されて構成され、
前記後身頃は、下側を凸とした山形に配置した左右の後身頃傾斜辺と、前記左右の傾斜辺に対向する位置に配置された後身頃上辺と、前記後身頃上辺の端部と前記左右の後身頃傾斜辺の端部とを接続する左右の後身頃側辺と、前記山形の頂部にＶ字形の切込部を形成する左右の切込辺とを備えて全体を略７辺形状に形成され、
前記右前身頃及び前記左前身頃は、一方の横側に向けて凸として形成した前身頃上側傾斜辺及び前身頃下側傾斜辺と、前身頃下辺と前記前身頃下辺より小寸法とした前身頃上辺と、前記前身頃下辺の端部と前記前身頃上辺の端部とを連結する前身頃側辺とを備えてそれぞれ略５辺形に形成され、
前記前覆部は、前覆上辺と、前記前覆上辺より大寸法とした前覆下辺と、前記前覆上辺及び前記前覆下辺を連結する２つの前覆側辺と、を備えて略等脚台形状に形成され、
前記左右の後身頃斜辺と前記右前身頃及び前記左前身頃の前身頃斜辺がそれぞれ接合され、
前記後身頃の左右の前記切込辺と、左右の前記前身頃側辺とがそれぞれ接合され、
左右の前身頃の前記前身頃上側傾斜辺と前記前覆部の前記左右の前側側辺とが接合されて構成されていることとを特徴とする請求項１に記載の男性用下着。
【請求項５】
前記胴部開口部には、腰ゴムを配置したことを特徴とする請求項１に記載の男性用下着。
【考案の詳細な説明】
【技術分野】
【０００１】
本考案は、陰嚢の温度を下げる男性用下着に関する。
【背景技術】
【０００２】
近年出生率が低下しており、人口減少が大きな社会問題となっている。出生率低下の原因は不明であるが精子数の減少が原因の一つとして挙げられている。
【０００３】
ここで、精子は熱に弱いことが知られており、精巣の活動を活発化させるためには、陰嚢の温度環境を体温よりも低くすることが解決策の一つとなると考えられる。
【０００４】
よって、パンツ、ブリーフ等の男性用下着を着用した状態で、陰嚢の温度環境を体温より下げることが好ましい。
【０００５】
特許文献１には、男性用下着に関して、ウエスト開口部、レッグ開口部及び股下部を有する布製のパンツ本体と、パンツ本体の前部に設けられ、着用者の陰嚢及び陰茎を露出させる窓部と、窓部を含むパンツ本体の前部を覆い、ウエスト開口部のウエスト開口縁側と股下部側との間にわたって配され、窓部から露出される陰嚢及び陰茎を覆い隠す袋状底部が形成される布製の前布部と、前布部の袋状底部に近接する上方位置の左右側に配され、パンツ本体の前部と前布部とによって、袋状底部内に外気を出入り可能として形成される通気開口部と、を備えるものが記載されている。
【０００６】
また、特許文献２には、下着本体が、１対のレッグ開口部、及びウエスト開口部を有し、前身頃における略中央に不伸縮性の布帛により正面視略帯状または正面視略逆台形の局部抱持布片の周囲を縫着すると共に、前記局部抱持布片に前方への膨らみを構成し、下着本体の局部抱持布片以外の前身頃及び後身頃が、伸縮布により構成されたものが記載されている。
【先行技術文献】
【特許文献】
【０００７】
【特許文献１】特開２０１３−２０９７５５号公報
【特許文献２】実登第３１５３８９９号公報
【考案の概要】
【考案が解決しようとする課題】
【０００８】
しかし、特許文献１に記載のものは、陰嚢が前布部に保持されて自由落下しない上、外気の出入りが制限されるため、陰嚢の冷却が不充分である。
【０００９】
また、特許文献２に記載のものは、大腿部と陰嚢とが密着することにより大腿部の皮膚熱が陰嚢に移り陰嚢の温度が上がることが考慮されていない。
【００１０】
本考案は上述した課題に鑑みてなされたものであり、通気性が良く陰嚢の温度を下げることができる男性用下着を提供することを目的とする。
【課題を解決するための手段】
【００１１】
前記課題を解決する請求項１に記載の考案は、胴部が挿通される胴部開口部、脚部が挿通される左右の脚部開口部、及び陰嚢と陰茎が挿通される股下開口部を形成した下着本体部を備え、前記股下開口部には、下端部に開口を備えると共に陰嚢の自由下垂を生地が妨げず、陰嚢を空気中に露出させて放熱が可能な前覆部を備え、前記下着本体部及び前記前覆部を構成する生地が大腿部と陰嚢との間に挟まる形状としたことを特徴とする男性用下着である。
【００１２】
同じく、請求項２に記載の考案は、請求項１に記載の男性用下着において、前記生地は、吸収した水分を気化して冷却する気化熱冷却素材で形成されていることを特徴とする。
【００１３】
同じく、請求項３に記載の考案は、請求項１に記載の男性用下着において、前記生地は、接触したとき冷感を生じる接触冷感素材で形成されていることを特徴とする。
【００１４】
同じく、請求項４に記載の考案は、請求項１に記載の男性用下着において、後身頃と、右前身頃と、左前身頃と、前記前覆部が縫製されて構成され、前記後身頃は、下側を凸とした山形に配置した左右の後身頃傾斜辺と、前記左右の傾斜辺に対向する位置に配置された後身頃上辺と、前記後身頃上辺の端部と前記左右の後身頃傾斜辺の端部とを接続する左右の後身頃側辺と、前記山形の頂部にＶ字形の切込部を形成する左右の切込辺とを備えて全体を略７辺形状に形成され、前記右前身頃及び前記左前身頃は、一方の横側に向けて凸として形成した前身頃上側傾斜辺及び前身頃下側傾斜辺と、前身頃下辺と前記前身頃下辺より小寸法とした前身頃上辺と、前記前身頃下辺の端部と前記前身頃上辺の端部とを連結する前身頃側辺とを備えてそれぞれ略５辺形に形成され、前記前覆部は、前覆上辺と、前記前覆上辺より大寸法とした前覆下辺と、前記前覆上辺及び前記前覆下辺を連結する２つの前覆側辺と、を備えて略等脚台形状に形成され、前記左右の後身頃斜辺と前記右前身頃及び前記左前身頃の前身頃斜辺がそれぞれ接合され、前記後身頃の左右の前記切込辺と、左右の前記前身頃側辺とがそれぞれ接合され、左右の前身頃の前記前身頃上側傾斜辺と前記前覆部の前記左右の前側側辺とが接合されて構成されていることとを特徴とする。
【００１５】
同じく請求項５に記載の考案は、請求項１に記載の男性用下着において、前記胴部開口部には、腰ゴムを配置したことを特徴とする。
【考案の効果】
【００１６】
本考案に係る男性用下着によれば、開放されている股下関口部に陰嚢と陰茎とを収容することで、通気性のよい状態を維持するので、陰嚢が自由下垂した上で空気冷却される状態を維持でき、また鼠径部を境に股下関口部と脚部関口部が分かれており、陰嚢と大腿部の間には股下関口部の生地が垂れ下がるので陰嚢が大腿部とが接触しにくい。このため、精子の活動を鈍化させることを防止できる。
【００１７】
即ち、請求項１に記載の男性用下着は、胴部が挿通される胴部開口部、脚部が挿通される左右の脚部開口部、及び陰嚢と陰茎が挿通されて股下開口部が開口した本体部を備えており、股下開口部には、下端部に開口を備えると共に陰嚢の自由下垂を生地が妨げず、陰嚢を空気中に露出させて放熱が可能な前覆部を備え、本体部及び前記前覆部を構成する生地が大腿部と陰嚢との間に挟まる形状としている。
【００１８】
このため、開放されている股下関口部に陰嚢と陰茎とを収容することで、通気性のよい状態を維持するので、陰嚢が自由下垂した上で空気冷却される状態を維持でき、また鼠径部を境に股下関口部と脚部関口部が分かれており、陰嚢と大腿部の間には股下関口部の生地が垂れ下がるので陰嚢が大腿部とが接触しにくい。このため、精子の活動を鈍化させることを防止できる。
【００１９】
また、請求項２に記載の男性用下着によれば、前記生地は、吸収した水分を気化して冷却する気化熱冷却素材で形成されているので、水分を吸収してその気化熱で冷却するため股間周辺に生じた汗を吸収して陰嚢を効率良く冷却することができる。
【００２０】
また、請求項３に記載の男性用下着によれば、接触冷感素材で形成されているので、接触したとき皮膚の熱が伝導されて陰嚢が冷却されるほか、接触部に冷感を生じる。
【００２１】
更に、請求項４に記載の男性用下着は、後身頃及び左右の前身頃及び前覆部の形状は略多辺形であり、生地の裁断が容易であると共に、複雑な縫製を必要とせず直線あるいは緩やかな曲線状の縫製で各部を接合できる。このため、男性用下着の製造に際して、生地を直線や緩やかな曲線で裁断し、更に簡単な縫製を行うだけですみ、裁断や縫製に高い技術を必要とせず製造コストを低減できる。
【００２２】
そして、請求項５に記載の男性用下着によれば、胴部開口部に腰ゴムを配置しているので、着用に際して男性用下着を適正な位置に保持して、陰嚢の冷却効果を阻害することがない。
【図面の簡単な説明】
【００２３】
【図１】本考案の第１実施形態に係る男性用下着を示すものであり、（ａ）は正面図、（ｂ）は平面図である。
【図２】同男性用下着の着用状態を示す模式図である。
【図３】同男性用下着の着用状態を示す模式図である。
【図４】同男性用下着を作成ための型紙等を示すものであり、（ａ）は後身頃の型紙、（ｂ）は右側前身頃の型紙、（ｃ）は左側前身頃の型紙、（ｄ）は前覆部の型紙、（ｅ）は腰ゴムを示す模式図である。
【図５】図４に示した型紙に基づいて作成した男性用下着をダミーに着用した状態において前覆部を持ち上げた状態をダミーの脚側から撮影した写真である。
【図６】同男性用下着の着用実験における陰嚢温度の測定結果を示すものであり、（ａ）は測定データを示す表、（ｂ）は測定データを示すグラフである。
【図７】本考案の第２実施形態に係る男性用下着を示すものであり、（ａ）は正面図、（ｂ）は平面図である。
【図８】同男性用下着を作成ための型紙等を示すものであり、（ａ）は後身頃の型紙、（ｂ）は右側前身頃の型紙、（ｃ）は左側前身頃の型紙、（ｄ）は前覆部の型紙
【図９】同男性用下着を示すものであり、（ａ）は同下着の前側を表として平置きした状態を示す写真、（ｂ）は同下着を、前側を表とし前覆部を上げてボタンをボタンホールに掛けた状態を示す写真である。
【考案を実施するための形態】
【００２４】
本考案を実施するための形態に係る男性用下着を図面に基づいて説明する。本明細書において、男性用下着等の方向を特定するとき「前」、「後」、「左」、「右」の語を用いる。ここで、これらは、着用者から見た方向である。
【００２５】
＜第１実施形態に係る男性用下着＞
図１は本考案の第１実施形態に係る男性用下着を示すものであり、（ａ）は正面図、（ｂ）は平面図、図２及び図３は同男性用下着の着用状態を示す模式図、図４は同男性用下着を作成ための型紙等を示すものであり、（ａ）は後身頃の型紙、（ｂ）は右側前身頃の型紙、（ｃ）は左側前身頃の型紙、（ｄ）は前覆部の型紙、（ｅ）は腰ゴムを示す模式図である。
【００２６】
本実施形態に係る男性用下着１０は、試作品である。男性用下着１０は、布地から図４に示す後身頃２１（図４（ａ））、右前身頃２２Ｒ（図４（ｂ））、左前身頃２２Ｌ（図４（ｃ））、前覆部２３（図４（ｄ））を裁断して縫製し、腰ゴム２４（図４（ｅ））を取り付けることにより作成される。各部の寸法を図４に記載しておく。なお、この寸法は一例であり、着用者の体格や条件に応じて各部の寸法や形状を変更することができる。
【００２７】
男性用下着１０は、下着本体部１０Ａに着用者３０の胴部３１が挿通される胴部開口部１１、右脚部３２Ｒが挿通される右側の脚部開口部１２Ｒ、左脚部３２Ｌが挿通される左側の脚部開口部１２Ｌが形成されている。
【００２８】
また、本実施形態に係る男性用下着１０は、下着本体部１０Ａの前側に、陰嚢３３と陰茎３４が挿通される股下開口部１３を形成している。
【００２９】
そして、股下開口部１３には、下端部に開口を備えると共に陰嚢３３の自由下垂を生地が妨げず、陰嚢３３と陰茎３４とを空気中に露出させて放熱が可能な前覆部２３を備える。
【００３０】
また、男性用下着１０は、着用者３０が着用したとき、図２に示すように、下着本体部１０Ａ、及び前記前覆部２３を構成する生地が右側鼠径部３５Ｒ及び左側鼠径部３５Ｌと陰嚢３３との間に挟まる大きさ及び形状である。
【００３１】
ここで、下着本体部１０Ａを構成する後身頃２１、右前身頃２２Ｒ，左前身頃２２Ｌ及び前覆部２３は、気化熱冷却素材の布地から作成する。また、これらは接触冷感素材としての機能を有するものとすることができる。気化熱冷却素材は、生地内の水分を素早く吸収拡散して気化熱を奪う等の機能を備えた素材である。また、接触冷却素材は、繊維中に水分を多く含む、熱伝導率・熱拡散率が高い、触った時に少し硬く感じる等の特性を有し、接触時に皮膚からの熱を発散しやすく、冷感を生じる。
【００３２】
本実施形態に係る男性用下着１０では生地として、例えば、芯にポリエステル、鞘にポリエチレン樹脂とポリビニルアルコール樹脂との複合樹脂を用いた芯鞘複合繊維、マイクロポリエステル繊維、レーヨンやキュプラ等の合成繊維を使用することができる。なお、生地の素材は他のものであってよい。
【００３３】
＜男性用下着の作成＞
次に男性用下着１０の作成について説明する。男性用下着１０は、後身頃２１と、右前身頃２２Ｒと、左前身頃２２Ｌと、前覆部２３とを布地から裁断し、縫製して作成する。布地としては、上述した気化熱冷却素材を使用することができる。
【００３４】
後身頃２１は、図４（ａ）に示すように、全体形状として下側に凸な山部を有する略７辺形状をなす。即ち、後身頃２１は、下側に凸である山形をなす２つの後身頃傾斜辺として後身頃右傾斜辺２１ＤＲ、後身頃左傾斜辺２１ＤＬを備え、これらに対向して位置する後身頃上辺２１Ｕを備える。
【００３５】
更に、後身頃２１は、後身頃上辺２１Ｕと後身頃右傾斜辺２１ＤＲ及び後身頃左傾斜辺２１ＤＬとを連結する２つの後身頃側辺である後身頃右側辺２１ＳＲ、後身頃左側辺２１ＳＬを備える。また、後身頃２１の山形をなす後身頃右傾斜辺２１ＤＲ、後身頃左傾斜辺２１ＤＬの頂部付付近にはＶ字形の切込を形成して切込辺である右切込辺２１ＶＲ、左切込辺２１ＶＬを形成している。
【００３６】
また、右前身頃２２Ｒは、図４（ｂ）示すように、全体が一方の横側（同図の右側）に向けて凸となる山形を有する略５辺形状である。即ち、右前身頃２２Ｒは、山形をなす右前身頃上側右傾斜辺２２ＲＳＵ及び右前身頃下側傾斜辺２２ＲＳＤと、右前身頃下辺２２ＲＤと、右前身頃下辺２２ＲＤより小寸法の右前身頃上辺２２ＲＵと、右前身頃下辺２２ＲＤと右前身頃上辺２２ＲＵとを連結する右前身頃右側辺２２ＲＳとを備える。
【００３７】
また、左前身頃２２Ｌは、図４（ｃ）示すように、全体が一方の横側（同図の左側）に向けて凸となる山形を有する略５辺形状である。左前身頃２２Ｌは、山形をなす左前身頃上側傾斜辺２２ＬＳＵ及び左前身頃下側傾斜辺２２ＬＳＤを備え、左前身頃下辺２２ＬＤと左前身頃下辺２２ＬＤより小寸法の左前身頃上辺２２ＬＵを備え、左前身頃下辺２２ＬＤと左前身頃上辺２２ＬＵとを連結する左前身頃側辺２２ＬＳとを備える。
【００３８】
更に前覆部２３は、図４（ｄ）に示すように、略等脚台形状である。即ち、前覆部２３は、前覆上辺２３Ｕと、前覆上辺２３Ｕより大寸法の前覆下辺２３Ｄと、前覆上辺２３Ｕ及び前覆下辺２３Ｄを連結する２つの前覆側辺として前覆右側辺２３ＳＲ、前覆左側辺２３ＳＬを備える。
【００３９】
そして、男性用下着１０は、後身頃２１、右前身頃２２Ｒ、左前身頃２２Ｌ、前覆部２３を以下のように縫製して製造する。
【００４０】
後身頃右側辺２１ＳＲと右前身頃右側辺２２ＲＳとを直線ＡＲで縫製して結合し、後身頃左側辺２１ＳＬと左前身頃側辺２２ＬＳとを直線ＡＬで縫製して結合する。
【００４１】
右前身頃上側右傾斜辺２２ＲＳＵと前覆右側辺２３ＳＲとを直線ＢＲで縫製して結合し、左前身頃上側傾斜辺２２ＬＳＵと前覆左側辺２３ＳＬとを直線ＢＬで縫製して結合する。
【００４２】
右前身頃下側傾斜辺２２ＲＳＤと右切込辺２１ＶＲとを直線ＣＲで縫製して結合し、左前身頃下側傾斜辺２２ＬＳＤと左切込辺２１ＶＬとを直線ＣＬで縫製して結合する。
【００４３】
後身頃上辺２１Ｕと、右前身頃上辺２２ＲＵ、左前身頃上辺２２ＬＵ、及び前覆上辺２３Ｕが接続され形成される胴部開口部１１に腰ゴム２４を縫製して接続する。
【００４４】
これらの工程により、下着本体部１０Ａに前覆部２３を配置した男性用下着１０が完成する。
【００４５】
後身頃２１、右前身頃２２Ｒ、左前身頃２２Ｌ、前覆部２３、腰ゴム２４を縫製して男性用下着１０を形成したとき、図１に示すように、胴部開口部１１の輪郭は、後身頃上辺２１Ｕ、右前身頃右側辺２２ＲＳ、左前身頃側辺２２ＬＳ、及び前覆上辺２３Ｕにより形成される。また、脚部開口部１２Ｒの輪郭は、後身頃右傾斜辺２１ＤＲ、右前身頃下辺２２ＲＤにより形成され、脚部開口部１２Ｌの輪郭は、後身頃左傾斜辺２１ＤＬ、右前身頃下辺２２ＲＤにより形成される。更に、股下開口部１３の輪郭は、前覆上辺２３Ｕ、前覆右側辺２３ＳＲ、前覆左側辺２３ＳＬ等で形成される。
【００４６】
図５は図４に示した型紙に基づいて作成した男性用下着をダミーに着用した状態において前覆部を持ち上げた状態をダミーの脚側から撮影した写真である。図５に示すように、前覆部２３により股下開口部１３に下端部に開口を備えると共にダミー４０の陰嚢４４の自由下垂を生地が妨げずに、陰嚢４４を空気中に露出させて放熱が可能な状態が実現されている。また、下着本体部１０Ａ及び前覆部２３を構成する生地がダミー４０の右脚部４２Ｒ及び左脚部４２Ｌの大腿部と陰嚢４４との間に挟まることが分かる。
【００４７】
本実施形態に係る男性用下着１０を着用すると、男性用下着１０の胴部開口部１１に着用者３０の胴部３１が位置して腰ゴム２４により位置が保持される。また、脚部開口部１２Ｒに着用者３０の右脚部３２Ｒ、脚部開口部１２Ｌに同左脚部３２Ｌが挿入され、更に股下開口部１３から同陰嚢３３及び陰茎３４が挿通される。これにより、陰嚢３３の自由落下が妨げられず、陰嚢３３は空気により冷却される。
【００４８】
また、本実施形態に係る男性用下着１０によれば、図２に示すように、右側鼠径部３５Ｒ、左側鼠径部３５Ｌを境に股下開口部１３と脚部開口部１２Ｒ、脚部開口部１２Ｌとが分かれている。よって、図２及び図５に示すように、陰嚢３３と右脚部３２Ｒ（図５では４２Ｒ）及び左脚部３２Ｌ（図５では４２Ｌ）との間には、右前身頃２２Ｒ及び左前身頃２２Ｌ等の生地が垂れ下がって挟まる。このため、陰嚢３３が右脚部３２Ｒ及び左脚部の大腿に直接接触せず、陰嚢３３が体温で温められるのを防止できる。
【００４９】
更に、男性用下着１０を気化熱冷却素材で形成しているので、人体からの水分を吸収してその気化熱で生地が冷却され、股間周辺に生じた汗を吸収して陰嚢をより冷却することができる。また、男性用下着１０を接触冷却素材としての機能を備えるものとすれば、接触時に冷感を生じる。
【００５０】
本実施形態に係る男性用下着１０は、上述した作用により、精子の活動が鈍化するのを防止できる。
【００５１】
＜着用実験＞
次に本実施形態に係る男性用下着１０による着用実験について説明する。図６は同男性用下着の着用実験における陰嚢温度の測定結果を示すものであり、（ａ）は測定データを示す表、（ｂ）は測定データを示すグラフである。
【００５２】
この実験は、下着の種類によって陰嚢の温度が変化することを検証するために行った。ここで、熱伝導により下着内部温度と陰嚢の温度はほぼ同じと考えられるため、温度の測定箇所は下着内部の陰嚢付近３ｃｍ以内の位置を測定箇所とした。
【００５３】
測定は以下の条件で行った。測定機器として「Ｉｎｋｂｉｒｄワイヤレス温湿度センサー  データロガー」を使用した。測定条件は、１１時〜１３時の２時間の平均値で算出した。同じ部屋の同じ椅子に着座した状態で計測した。同じ試験者にて測定した。測定結果として図６（ａ）に測定データを、同図（ｂ）にグラフを示す。
【００５４】
図５に示す測定結果から、実施形態に係る男性用下着１０はトランクスタイプやボクサーブリーフタイプの男性用下着に比べて、下着内部の温度が約１℃（１．１℃〜１．３℃）低いことが確認できた。
【００５５】
これにより、本実施形態に係る男性用下着１０は他の男性用下着に比べ、陰嚢温度を低く保つことができ、精子の活動を鈍化させることを防止できることが分かった。
【００５６】
なお、上記実施形態では男性用下着１０は、図４に記載した型紙等に基づいて布地から後身頃、右前身頃、左前身頃、前覆部を裁断してそれぞれを縫製して作成したが、本考案に係る男性用下着の各部の形状は図４に記載した形状に限定されない。本考案に係る男性用下着１０は、胴部開口部、左右の脚部開口部、及び陰嚢と陰茎が挿通される股下開口部が形成され、股下開口部において、下端部に開口を備え陰嚢の自由下垂を生地が妨げず、陰嚢を空気中に露出させ放熱が可能な前覆部を配置し、下着本体部及び前覆部を構成する生地が大腿部と陰嚢との間に挟まる形状にできれば、どのような形状の布地を組み合わせて作成してもよい。
【００５７】
＜第２実施形態＞
次に本考案の第２実施形態に係る男性用下着について説明する。図７は本考案の第２実施形態に係る男性用下着を示すものであり、（ａ）は正面図、（ｂ）は平面図、図８は同男性用下着を作成ための型紙等を示すものであり、（ａ）は後身頃の型紙、（ｂ）は右側前身頃の型紙、（ｃ）は左側前身頃の型紙、（ｄ）は前覆部の型紙、図９は同男性用下着を示すものであり、（ａ）は同下着の前側を表として平置きした状態を示す写真、（ｂ）は同下着を、前側を表とし前覆部を上げてボタンをボタンホールに掛けた状態を示す写真である。
【００５８】
本実施形態に係る男性用下着５０は、量産を考慮し、更に着用時のフィット感が良好になるように型紙の形状を変更して各部の輪郭になだらかな曲線を取り入れたものである。本男性用下着５０は、布地から図８に示す後身頃２１（図８（ａ））、右前身頃２２Ｒ（図８（ｂ））、左前身頃２２Ｌ（図８（ｃ））、前覆部２３（図８（ｄ））を裁断して縫製し、腰ゴム２４を取り付けることにより作成される。各部の寸法は図４に示したものに準拠する。この寸法や形状は着用者の体格や条件に応じて変更することができる。
【００５９】
男性用下着５０は、図７（ａ）、（ｂ）に示すように、下着本体部１０Ａに着用者３０の胴部３１が挿通される胴部開口部１１、右脚部３２Ｒが挿通される右側の脚部開口部１２Ｒ、左脚部３２Ｌが挿通される左側の脚部開口部１２Ｌが形成されている。
【００６０】
また、本実施形態に係る男性用下着１０は、下着本体部１０Ａの前側に、陰嚢３３と陰茎３４が挿通される股下開口部１３を形成している。
【００６１】
そして、股下開口部１３には、下端部に開口を備えると共に陰嚢３３の自由下垂を生地が妨げず、陰嚢３３と陰茎３４とを空気中に露出させて放熱が可能な前覆部２３を備える。
【００６２】
また、男性用下着１０は、着用者３０が着用したとき、第１実施形態と同様に、図２に示すように、下着本体部５０Ａ、及び前記前覆部２３を構成する生地が右側鼠径部３５Ｒ及び左側鼠径部３５Ｌと陰嚢３３との間に挟まる大きさ及び形状である。
【００６３】
ここで、下着本体部５０Ａを構成する後身頃２１、右前身頃２２Ｒ，左前身頃２２Ｌ及び前覆部２３は、気化熱冷却素材の布地から作成する。また、これらは接触冷感素材としての機能を有するものとすることができる。気化熱冷却素材は、生地内の水分を素早く吸収拡散して気化熱を奪う等の機能を備えた素材である。また、接触冷却素材は、繊維中に水分を多く含む、熱伝導率・熱拡散率が高い、触った時に少し硬く感じる等の特性を有し、接触時に皮膚からの熱を発散しやすく、冷感を生じる。
【００６４】
本実施形態に係る男性用下着１０では生地として、例えば、芯にポリエステル、鞘にポリエチレン樹脂とポリビニルアルコール樹脂との複合樹脂を用いた芯鞘複合繊維、マイクロポリエステル繊維、レーヨンやキュプラ等の合成繊維を使用することができる。なお、生地の素材は他のものであってよい。
【００６５】
＜男性用下着の作成＞
次に第２実施形態に係る男性用下着５０の作成について説明する。男性用下着５０は、第１実施形態に係る男性用下着１０と同様に後身頃２１と、右前身頃２２Ｒと、左前身頃２２Ｌと、前覆部２３とを布地から裁断し、縫製して作成する。布地としては、上述した気化熱冷却素材を使用することができる。
【００６６】
後身頃２１は、図８（ａ）に示すように、全体形状として下側に凸な山部を有する略７辺形状をなす。即ち、後身頃２１は、下側に凸である山形をなす２つの後身頃傾斜辺として後身頃右傾斜辺２１ＤＲ、後身頃左傾斜辺２１ＤＬを備え、これらに対向して位置する後身頃上辺２１Ｕを備える。
【００６７】
更に、後身頃２１は、後身頃上辺２１Ｕと後身頃右傾斜辺２１ＤＲ及び後身頃左傾斜辺２１ＤＬとを連結する２つの後身頃側辺である後身頃右側辺２１ＳＲ、後身頃左側辺２１ＳＬを備える。また、後身頃２１の山形をなす後身頃右傾斜辺２１ＤＲ、後身頃左傾斜辺２１ＤＬの頂部付近にはＶ字形の切込を形成して切込辺である右切込辺２１ＶＲ、左切込辺２１ＶＬを形成している。
【００６８】
また、右前身頃２２Ｒは、図８（ｂ）に示すように、全体が一方の横側（同図の右側）に向けて凸となる略５辺形状である。即ち、右前身頃２２Ｒは、内側に凹むなだらかな曲線を描く右前身頃上側右傾斜辺２２ＲＳＵ、直線を描く右前身頃下側傾斜辺２２ＲＳＤ、右前身頃下辺２２ＲＤ、右前身頃下辺２２ＲＤより小寸法の右前身頃上辺２２ＲＵ、及び右前身頃下辺２２ＲＤと右前身頃上辺２２ＲＵとを連結する右前身頃右側辺２２ＲＳを備える。
【００６９】
また、左前身頃２２Ｌは、図８（ｃ）に示すように、全体が一方の横側（同図の左側）に向けて凸となる略５角形状である。左前身頃２２Ｌは、内側に凹むなだらかな曲線を描く左前身頃上側傾斜辺２２ＬＳＵ、直線を描く左前身頃下側傾斜辺２２ＬＳＤ、左前身頃下辺２２ＬＤ、左前身頃下辺２２ＬＤより小寸法の左前身頃上辺２２ＬＵ、及び左前身頃下辺２２ＬＤと左前身頃上辺２２ＬＵとを連結する左前身頃側辺２２ＬＳを備える。
【００７０】
更に前覆部２３は、図８（ｄ）に示すように、上側に向けて細くなる略等辺台形状をなす。即ち、前覆部２３は、前覆上辺２３Ｕと、前覆上辺２３Ｕより大寸法の前覆下辺２３Ｄと、前覆上辺２３Ｕ及び前覆下辺２３Ｄを連結する２つの前覆側辺として内側に向けて凹むなだらかな曲線をなす前覆右側辺２３ＳＲ及び前覆左側辺２３ＳＬを備える。
【００７１】
そして、男性用下着１０は、後身頃２１、右前身頃２２Ｒ、左前身頃２２Ｌ、前覆部２３を以下のように縫製して製造する。
【００７２】
後身頃右側辺２１ＳＲと右前身頃右側辺２２ＲＳとを直線ＡＲで縫製して結合し、後身頃左側辺２１ＳＬと左前身頃側辺２２ＬＳとを直線ＡＬで縫製して結合する。
【００７３】
右前身頃上側右傾斜辺２２ＲＳＵと前覆右側辺２３ＳＲとをなだらかな曲線ＢＲで縫製して結合し、左前身頃上側傾斜辺２２ＬＳＵと前覆左側辺２３ＳＬとをなだらかな曲線ＢＬで縫製して結合する。
【００７４】
右前身頃下側傾斜辺２２ＲＳＤと右切込辺２１ＶＲとを直線ＣＲで縫製して結合し、左前身頃下側傾斜辺２２ＬＳＤと左切込辺２１ＶＬとを直線ＣＬで縫製して結合する。
【００７５】
後身頃上辺２１Ｕと、右前身頃上辺２２ＲＵ、左前身頃上辺２２ＬＵ、及び前覆上辺２３Ｕが接続され形成される胴部開口部１１に第１実施形態に係る男性用下着１０で使用した腰ゴム２４を縫製して接続する。
【００７６】
これらの工程により、下着本体部５０Ａに前覆部２３を配置した男性用下着５０が完成する。
【００７７】
更に本実施形態に係る男性用下着５０では、前覆部２３の上側部にボタン５１を配置し、前覆部２３の下部にボタンホール５２を形成する。ボタン５１をボタンホール５２に嵌めることにより、前覆部２３の下側を上げて固定し、股下開口部１３を露出することができる（図９（ｂ）参照）。
【００７８】
後身頃２１、右前身頃２２Ｒ、左前身頃２２Ｌ、前覆部２３、及び腰ゴム２４を縫製して男性用下着５０を作成したとき、図７（ａ）、（ｂ）に示すように、胴部開口部１１の輪郭は、後身頃上辺２１Ｕ、右前身頃右側辺２２ＲＳ、左前身頃側辺２２ＬＳ、及び前覆上辺２３Ｕにより形成される。また、脚部開口部１２Ｒの輪郭は、後身頃右傾斜辺２１ＤＲ、右前身頃下辺２２ＲＤにより形成され、脚部開口部１２Ｌの輪郭は、後身頃左傾斜辺２１ＤＬ、右前身頃下辺２２ＲＤにより形成される。更に、股下開口部１３の輪郭は、前覆上辺２３Ｕ、前覆右側辺２３ＳＲ、前覆左側辺２３ＳＬ等で形成される。
【００７９】
図９は同男性用下着を示すものであり、（ａ）は同下着の前側を表として平置きした状態を示す写真、（ｂ）は同下着を、前側を表とし前覆部を上げてボタンをボタンホールに掛けた状態を示す写真である。図９（ａ）に示す状態から、前覆部２３を持ち上げ、ボタンホール５２にボタン５１をはめることにより、前覆部２３を持ち上げた状態に保持できる。
【００８０】
本実施形態に係る男性用下着５０を着用すると、男性用下着１０の胴部開口部１１に着用者３０の胴部３１が位置して腰ゴム２４により位置が保持される。また、脚部開口部１２Ｒに着用者３０の右脚部３２Ｒ、脚部開口部１２Ｌに同左脚部３２Ｌが挿入され、更に股下開口部１３から同陰嚢３３及び陰茎３４が挿通される。これにより、陰嚢３３の自由落下が妨げられず、陰嚢３３は空気により冷却される。
【００８１】
また、本実施形態に係る男性用下着５０によれば、右側鼠径部３５Ｒ、左側鼠径部３５Ｌを境に股下開口部１３と脚部開口部１２Ｒ、脚部開口部１２Ｌとが分かれている。よって、第１実施形態に係る男性用下着１０と同様に、陰嚢３３と右脚部３２Ｒ（４２Ｒ）及び左脚部３２Ｌ（４２Ｌ）との間には、右前身頃２２Ｒ及び左前身頃２２Ｌ等の生地が垂れ下がって挟まる。このため、陰嚢３３が右脚部３２Ｒ及び左脚部の大腿に直接接触せず、陰嚢３３が体温で温められるのを防止できる。
【００８２】
更に、男性用下着１０を気化熱冷却素材で形成しているので、人体からの水分を吸収してその気化熱で生地が冷却され、股間周辺に生じた汗を吸収して陰嚢をより冷却することができる。また、男性用下着１０を接触冷却素材としての機能を備えるものとすれば、接触時に冷感を生じる。
【００８３】
そして、ボタンホール５２にボタン５１をはめた状態で前覆部２３を持ち上げた状態を維持でき、前覆部２３で形成される空間の通気性を更に良好なものとできる。
【００８４】
第２実施形態に係る男性用下着５０は、上述した作用により、精子の活動が鈍化するのを防止できる。
【産業上の利用可能性】
【００８５】
本考案に係る男性用下着は、陰嚢が自由下垂した上で空気冷却される状態を維持でき、陰嚢と大腿部の間に生地が挟まるので陰嚢が大腿部とが接触しにくく、精子の活動を鈍化させることを防止でき出生率の向上が図れるため産業上の利用可能性がある。
【符号の説明】
【００８６】
１０：男性用下着
１０Ａ：下着本体部
１１：胴部開口部
１２Ｌ：脚部開口部（左側）
１２Ｒ：脚部開口部（右側）
１３：股下開口部
２１：後身頃
２１ＤＬ：後身頃左傾斜辺
２１ＤＲ：後身頃右傾斜辺
２１ＳＬ：後身頃左側辺
２１ＳＲ：後身頃右側辺
２１Ｕ：後身頃上辺
２１ＶＬ：左切込辺
２１ＶＲ：右切込辺
２２Ｌ：左前身頃
２２ＬＤ：左前身頃下辺
２２ＬＳ：左前身頃側辺
２２ＬＳＤ：左前身頃下側傾斜辺
２２ＬＳＵ：左前身頃上側傾斜辺
２２ＬＵ：左前身頃上辺
２２Ｒ：右前身頃
２２ＲＤ：右前身頃下辺
２２ＲＳ：右前身頃右側辺
２２ＲＳＤ：右前身頃下側傾斜辺
２２ＲＳＵ：右前身頃上側右傾斜辺
２２ＲＵ：右前身頃上辺
２３：前覆部
２３Ｄ：前覆下辺
２３ＬＳ：右前身頃左側辺
２３ＳＬ：前覆左側辺
２３ＳＲ：前覆右側辺
２３Ｕ：前覆上辺
２４：腰ゴム
２５：ポケット部
３０：着用者
３１：胴部
３２Ｌ：左脚部
３２Ｒ：右脚部
３３：陰嚢
３４：陰茎
３５Ｌ：左側鼠径部
３５Ｒ：右側鼠径部
４０  ダミー
４２Ｒ  右脚部（ダミー）
４２Ｌ  左脚部（ダミー）
４４  陰嚢（ダミー）
５０：男性用下着
５１：ボタン
５２：ボタンホール
【図１】
0003229045.tif 000003
【図２】
0003229045.tif 000004
【図３】
0003229045.tif 000005
【図４】
0003229045.tif 000006
【図５】
0003229045.tif 000007
【図６】
0003229045.tif 000008
【図７】
0003229045.tif 000009
【図８】
0003229045.tif 000010
【図９】
0003229045.tif 000011